【手続補正書】
【提出日】平成18年10月19日(2006.10.19)
【手続補正１】
【補正対象書類名】特許請求の範囲
【補正対象項目名】全文
【補正方法】変更
【補正の内容】
【特許請求の範囲】
【請求項１】
順方向制御チャネルの第１のサブチャネル上で第１のレートで少なくとも１つのユーザ端末の第１の集合のための信号情報を送信することと、
前記順方向制御チャネルの第２のサブチャネルで第２のレートで少なくとも１つのユーザ端末の第２の集合のための信号情報を送信し、前記第２のレートは前記第１のレートより高く、前記第２のサブチャネルは前記第１のサブチャネルの後に送信されることと、
を備える、無線多入力多出力（ＭＩＭＯ）通信システム内で信号情報を送信する方法。
【請求項２】
前記順方向制御チャネルの第３のサブチャネルで第３のレートで少なくとも１つのユーザ端末の第３の集合のための信号情報を送信し、前記第３のレートは前記第２のレートより高く、前記第３のサブチャネルは前記第２のサブチャネルの後に送信されることをさらに備える、請求項１に記載の方法。
【請求項３】
前記第１のサブチャネルは、前記第２のサブチャネルが現在のフレーム内で送信されるかどうかを示す、請求項１に記載の方法。
【請求項４】
第１のレートに基づいて少なくとも１つのユーザ端末の第１の集合のために信号情報を処理するように、及び
前記第１のレートより高い第２のレートに基づいて少なくとも１つのユーザ端末の第２の集合のために信号情報を処理するように、
機能的に作用する送信データプロセッサと、及び
順方向制御チャネルの第１のサブチャネル上で前記第１のユーザ端末集合のための前記処理されたスケジューリング情報を送信するように、
前記順方向制御チャネルの第２のサブチャネルで前記第２のユーザ端末集合のための前記処理されたスケジューリング情報を送信し、前記第２のサブチャネルは前記第１のサブチャネルの後に送信されるように、
機能的に作用する送信機装置と、
を備える、無線多入力多出力（ＭＩＭＯ）通信システムにおける装置。
【請求項５】
前記送信データプロセッサは前記第２のレートより高い第３のレートに基づいて少なくとも１つのユーザ端末の第３の集合のための搬送情報を処理するようにさらに作動し、前記送信機装置は前記順方向制御チャネルの第３のサブチャネルで前記第３のユーザ端末集合のための前記処理された信号情報を送信するようにさらに作動し、前記第３のサブチャネルは前記第２のサブチャネルの後に送信される、請求項４に記載の装置。
【請求項６】
前記第１のサブチャネルは、前記第２のサブチャネルが現在のフレームの中で送信されるかどうかを示す、請求項４に記載の装置。
【請求項７】
順方向制御チャネルの第１のサブチャネル上で第１のレートで少なくとも１つのユーザ端末の第１の集合のための信号情報を送信するための手段と、
前記順方向制御チャネルの第２のサブチャネル上で第２のレートで少なくとも１つのユーザ端末の第２の集合のための信号情報を送信するための手段であって、前記第２のレートは前記第１のレートより高く、前記第２のサブチャネルは前記第１のサブチャネルの後に送信される手段と、
を備える、無線多入力多出力（ＭＩＭＯ）通信システムにおける装置。
【請求項８】
前記順方向制御チャネルの第３のサブチャネルで第３のレートで少なくとも１つのユーザ端末の第３の集合のための信号情報を送信するための手段であって、前記第３のレートは前記第２のレートより高く、前記第３のサブチャネルは前記第２のサブチャネルの後に送信される手段をさらに備える、請求項７に記載の装置。
【請求項９】
前記第１のサブチャネルは、前記第２のサブチャネルが現在のフレームの中で送信されるかどうかを示す、請求項７に記載の装置。
【請求項１０】
順方向制御チャネルの第１のサブチャネル上で第１のレートで送信される信号情報を受信することと、
前記ユーザ端末向けの信号情報が前記第１のサブチャネルから取得されない場合に、前記順方向制御チャネルの第２のサブチャネル上で第２のレートで送信される信号情報を受信し、前記第２のレートは前記第１のレートより高く、前記第２のサブチャネルは前記第１のサブチャネルの後に送信されることと、
を備える、無線多入力多出力（ＭＩＭＯ）通信システムにおけるユーザ端末で搬送情報を受信する方法。
【請求項１１】
前記ユーザ端末のための信号情報が前記第２のサブチャネルから取得されない場合に、前記順方向制御チャネルの第３のサブチャネル上で第３のレートで送信される信号情報を受信し、前記第３のレートは前記第２のレートより高く、前記第３のサブチャネルは前記第２のサブチャネルの後に送信されることをさらに備える、請求項１に記載の方法。
【請求項１２】
前記順方向制御チャネルのサブチャネルのための復号失敗に遭遇すると前記順方向制御チャネルの処理を終了することをさらに備える、請求項１に記載の方法。
【請求項１３】
順方向制御チャネルの第１のサブチャネル上で第１のレートで送信される信号情報を受信するように、及び
前記装置向けの信号情報が前記第１のサブチャネルから取得されない場合に、前記順方向制御チャネルの第２のサブチャネル上で第２のレートで送信される信号情報を受信し、前記第２のレートは前記第１のレートより高く、前記第２のサブチャネルは前記第１のサブチャネルの後に送信されるように、
機能的に作用する受信データプロセッサと、
前記第１のサブチャネル及び前記第２のサブチャネルのための処理を命令するように機能的に作用するコントローラと、を備える、無線多入力多出力（ＭＩＭＯ）通信システムにおける装置。
【請求項１４】
前記受信データプロセッサは、前記装置向けの信号情報が前記第２のサブチャネルから取得されない場合に、前記順方向制御チャネルの第３のサブチャネル上で第３のレートで送信される信号情報を受信するようにさらに機能的に作用し、前記第３のレートは前記第２のレートより高く、前記第３のサブチャネルは前記第２のサブチャネルの後に送信される、請求項１３に記載の装置。
【請求項１５】
前記コントローラは、前記順方向制御チャネルのサブチャネルのための復号失敗に遭遇すると前記順方向制御チャネルの処理を終了するようにさらに機能的に作用する、請求項１３に記載の装置。
【請求項１６】
順方向制御チャネルの第１のサブチャネル上で第１のレートで送信される信号情報を受信するための手段と、
前記装置向けの信号情報が前記第１のサブチャネルから取得されない場合に、前記順方向制御チャネルの第２のサブチャネル上で第２のレートで送信される信号情報を受信するための手段であって、前記第２のレートが前記第１のレートより高く、前記第２のサブチャネルは前記第１のサブチャネルの後に送信される手段と、
を備える、無線多入力多出力（ＭＩＭＯ）通信システムにおける装置。
【請求項１７】
前記装置向けの信号情報が前記第２のサブチャネルから取得されない場合に、前記順方向制御チャネルの第３のサブチャネル上で第３のレートで送信される信号情報を受信するための手段であって、前記第３のレートは前記第２のレートより高く、前記第３のサブチャネルは前記第２のサブチャネルの後に送信される手段をさらに備える、請求項１６に記載の装置。
【請求項１８】
前記順方向制御チャネルのサブチャネルのための復号失敗に遭遇すると前記順方向制御チャネルの処理を終了するための手段をさらに備える、請求項１６に記載の装置。
【手続補正２】
【補正対象書類名】明細書
【補正対象項目名】０１６３
【補正方法】変更
【補正の内容】
【０１６３】
ダウンリンクでは、アクセスポイント１１０ｘで、送信（ＴＸ）データプロセッサ７１０がデータソース７０８からトラヒックデータ（つまり情報ビット）、及びコントローラ７３０及びおそらくスケジューラ７３４から信号情報及び他の情報を受信する。これらの多様なタイプのデータは様々なトランスポートチャネルで送信されてよい。ＴＸデータプロセッサ７１０は（必要な場合）データを「フレームに入れ」、該フレームに入れられた／フレームに入れられていないデータをスクランブルし、該スクランブルされたデータを符号化し、該符号化されたデータをインタリーブし（つまり再順序付けし）、該インタリーブされたデータを変調記号にマッピングする。簡単にするために、「データ記号」はトラヒックデータのための変調記号を指し、「パイロット記号」はパイロットのための変調記号を指す。スクランブリングはデータビットをランダム化する。該符号化はデータ伝送の信頼性を高める。該インタリーブは該コードビットに時間ダイバーシティ、周波数ダイバーシティ、及び／または空間ダイバーシティを与える。該スクランブリング、符号化及び変調は、コントローラ７３０により提供される制御信号に基づいて実行されてよく、さらに詳細に後述される。ＴＸデータプロセッサ７１０は、データ伝送に使用される各空間チャネルに変調記号のストリームを与える。